(57)【要約】【課題】端末装置の受信処理の負荷を減らしつつ、干渉を軽減することによってスループットの向上が可能な基地局装置、端末装置及び通信方法を提供すること。【解決手段】第１の端末装置及び第２の端末装置と通信する基地局装置であって、前記第１の端末装置からマルチユーザ重畳送信をサポートすることを示す情報を受信する受信部と、前記第１の端末装置及び第２の端末装置に下りリンクデータを送信する送信部を備え、前記受信部が、前記第１の端末装置からセミパーシステントスケジューリングをサポートすることを示す情報を受信し、前記送信部がセミパーシステントスケジューリングで前記下りリンクを送信する場合、直交マルチアクセスを用いて前記第１の端末装置及び第２の端末装置に下りリンクデータを送信する。【選択図】図５
2019091963.tif 000002
【特許請求の範囲】
【請求項１】
第１の端末装置及び第２の端末装置と通信する基地局装置であって、
前記第１の端末装置からマルチユーザ重畳送信をサポートすることを示す情報を受信する受信部と、
前記第１の端末装置及び第２の端末装置に下りリンクデータを送信する送信部を備え、
前記受信部が、前記第１の端末装置からセミパーシステントスケジューリングをサポートすることを示す情報を受信し、
前記送信部がセミパーシステントスケジューリングで前記下りリンクを送信する場合、直交マルチアクセスを用いて前記第１の端末装置及び第２の端末装置に下りリンクデータを送信すること、を特徴とする基地局装置。
【請求項２】
前記受信部は、前記第１の端末装置からセミパーシステントスケジューリングをサポートすることを示す情報を受信していない場合、マルチユーザ重畳送信を適用して、前記第１の端末装置及び第２の端末装置に下りリンクデータを送信すること、を特徴とする請求項１に記載の基地局装置。
【請求項３】
前記送信部は、前記第１の端末装置にダイナミックスケジューリングで前記下りリンクデータを送信する場合、マルチユーザ重畳送信を適用して、前記第１の端末装置及び第２の端末装置に下りリンクデータを送信すること、を特徴とする請求項１に記載の基地局装置。
【請求項４】
前記送信部は、
前記第２の端末装置にセミパーシステムトスケジューリングを用いて下りリンクデータを送信する場合、マルチユーザ重畳送信を適用して、前記第１の端末装置及び第２の端末装置に下りリンクデータを送信すること、を特徴とする請求項３に記載の基地局装置。
【請求項５】
前記送信部は、
前記第２の端末装置にセミパーシステムトスケジューリングを用いて下りリンクデータを送信し、前記第１の端末装置の下りリンクデータ送信のためのセミパーシステントスケジューリング間隔と前記第１の端末装置の下りリンクデータ送信のためのセミパーシステントスケジューリング間隔が同じ場合、マルチユーザ重畳送信を適用して、前記第１の端末装置及び第２の端末装置に下りリンクデータを送信すること、を特徴とする請求項３に記載の基地局装置。
【請求項６】
前記送信部は、
前記第２の端末装置にセミパーシステムトスケジューリングを用いて下りリンクデータを送信し、前記第１の端末装置の下りリンクデータ送信のためのセミパーシステントスケジューリング間隔が前記第１の端末装置の下りリンクデータ送信のためのセミパーシステントスケジューリング間隔のｎ倍又はｎ分の１倍（ｎは自然数）の場合、マルチユーザ重畳送信を適用して、前記第１の端末装置及び第２の端末装置に下りリンクデータを送信すること、を特徴とする請求項３に記載の基地局装置。
【請求項７】
第１の端末装置及び第２の端末装置と通信する基地局装置の通信方法であって、
前記第１の端末装置からマルチユーザ重畳送信をサポートすることを示す情報を受信する受信ステップと、
前記第１の端末装置及び第２の端末装置に下りリンクデータを送信する送信ステップを有し、
前記第１の端末装置からセミパーシステントスケジューリングをサポートすることを示す情報を受信し、セミパーシステントスケジューリングで前記下りリンクを送信する場合
、直交マルチアクセスを用いて、前記第１の端末装置及び第２の端末装置に下りリンクデータを送信すること、を特徴とする基地局装置。
【請求項８】
基地局装置と通信する端末装置であって、
前記基地局装置にマルチユーザ重畳送信をサポートすることを示す情報を送信する送信部と、
前記基地局装置から下りリンクデータを受信する受信部を備え、
前記送信部が前記基地局装置にセミパーシステントスケジューリングをサポートすることを示す情報を送信した場合、セミパーシステントスケジューリングを用いた下りリンクデータは、直交マルチアクセスを用いていると想定すること、を特徴とする端末装置。
【請求項９】
前記受信部は、下りリンク制御情報を受信した場合、直交マルチアクセス又はマルチユーザ重畳送信を用いていると想定して、前記下りリンクデータを復調すること、を特徴とする請求項８に記載の端末装置。
【請求項１０】
前記受信部は、マルチユーザ重畳送信を用いていると想定して前記下りリンクデータを復調する場合、干渉を除去又は抑圧する処理を行うこと、を特徴とする請求項９に記載の端末装置。
【請求項１１】
基地局装置と通信する端末装置の通信方法であって、
前記基地局装置にマルチユーザ重畳送信をサポートすることを示す情報を送信する送信ステップと、
前記基地局装置から下りリンクデータを受信する受信ステップを有し、
前記基地局装置にセミパーシステントスケジューリングをサポートすることを示す情報を送信した場合、セミパーシステントスケジューリングを用いた下りリンクデータは、直交マルチアクセスを用いていると想定すること、を特徴とする通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムにおいて、システム容量の増
大や通信機会の向上のために、複数の端末装置を非直交多重して送信する技術や重畳符号化に基づくマルチユーザ伝送の検討が進められている（非特許文献１）。このような非直交多元接続（Non-Orthogonal Multiple Access）ではユーザ間干渉が生じるため、端末装置は、ユーザ間干渉を除去または抑圧する。ユーザ間干渉を除去または抑圧する技術は、干渉信号を干渉除去する干渉キャンセラや最尤検出（Ｍａｘｉｍｕｍ  Ｌｉｋｅｌｉｈｏｏｄ  Ｄｅｔｅｃｔｉｏｎ）などがある。例えば、下りリンク非直交多元接続において、基地局装置（ｅＮＢ（evolved Node B））は異なる複数の端末装置（ＵＥ（User Equipment）、移動局装置）宛ての変調シンボルを多重して送信する。このとき、各変調シンボルの送信電力は、多重される端末装置での受信電力（受信品質）を考慮して決定される。端末装置は、多重された送信信号のうち、他の端末装置宛ての信号を復調や復号し、キャンセルすることで、自端末宛ての変調シンボルのみを抽出することができる。
【先行技術文献】
【非特許文献】
【０００３】
【非特許文献１】“Study on Downlink Multiuser Superposition Transmission(MUST) for LTE (Release 13)”  ３ＧＰＰ  ＴＲ  ３６．８５９  ｖ１３．０．０（２０１５−１２）
【発明の概要】
【発明が解決しようとする課題】
【０００４】
下りリンク非直交多元接続において、端末装置は、ユーザ間干渉を除去又は抑圧するために、多重された他端末への下りリンク送信信号の電力割当て情報などの制御情報が必要となる。しかしながら、制御信号に電力割当て情報を追加することは、下りリンク制御信号の増加につながる。さらに、基地局装置が設定可能な電力割当てのパターンが多いと、下りリンク制御信号に必要なビット数が増加する。一方、端末装置が干渉信号をブラインド検出する場合、電力割当てのパターンが多いことにより、検出の試行回数が増加し、端末装置の負荷が大きくなる。
【０００５】
本発明はこのような事情を鑑みてなされたものであり、その目的は、端末装置の受信処理の負荷を減らしつつ、干渉を軽減することによってスループットの向上が可能な基地局装置、端末装置及び通信方法を提供することにある。
【課題を解決するための手段】
【０００６】
上述した課題を解決するために本発明に係る基地局装置、端末装置および通信方法の構成は、次の通りである。
【０００７】
（１）本発明の一態様は、第１の端末装置及び第２の端末装置と通信する基地局装置であって、前記第１の端末装置からマルチユーザ重畳送信をサポートすることを示す情報を受信する受信部と、前記第１の端末装置及び第２の端末装置に下りリンクデータを送信する送信部を備え、前記受信部が、前記第１の端末装置からセミパーシステントスケジューリングをサポートすることを示す情報を受信し、前記送信部がセミパーシステントスケジ
ューリングで前記下りリンクを送信する場合、直交マルチアクセスを用いて前記第１の端末装置及び第２の端末装置に下りリンクデータを送信することを特徴とする。
【０００８】
（２）また、本発明の一態様は、前記受信部は、前記第１の端末装置からセミパーシステントスケジューリングをサポートすることを示す情報を受信していない場合、マルチユーザ重畳送信を適用して、前記第１の端末装置及び第２の端末装置に下りリンクデータを送信すること、を特徴とする。  
【０００９】
（３）また、本発明の一態様は、前記送信部は、前記第１の端末装置にダイナミックスケジューリングで前記下りリンクデータを送信する場合、マルチユーザ重畳送信を適用して、前記第１の端末装置及び第２の端末装置に下りリンクデータを送信すること、を特徴とする。
【００１０】
（４）また、本発明の一態様は、前記送信部は、前記第２の端末装置にセミパーシステムトスケジューリングを用いて下りリンクデータを送信する場合、マルチユーザ重畳送信を適用して、前記第１の端末装置及び第２の端末装置に下りリンクデータを送信することを特徴とする。
【００１１】
（５）また、本発明の一態様は、前記送信部は、前記第２の端末装置にセミパーシステムトスケジューリングを用いて下りリンクデータを送信し、前記第１の端末装置の下りリンクデータ送信のためのセミパーシステントスケジューリング間隔と前記第１の端末装置の下りリンクデータ送信のためのセミパーシステントスケジューリング間隔が同じ場合、マルチユーザ重畳送信を適用して、前記第１の端末装置及び第２の端末装置に下りリンクデータを送信することを特徴とする。
【００１２】
（６）また、本発明の一態様は、前記送信部は、前記第２の端末装置にセミパーシステムトスケジューリングを用いて下りリンクデータを送信し、前記第１の端末装置の下りリンクデータ送信のためのセミパーシステントスケジューリング間隔が前記第１の端末装置の下りリンクデータ送信のためのセミパーシステントスケジューリング間隔のｎ倍又はｎ分の１倍（ｎは自然数）の場合、マルチユーザ重畳送信を適用して、前記第１の端末装置及び第２の端末装置に下りリンクデータを送信することを特徴とする。
【００１３】
（７）また、本発明の一態様は、第１の端末装置及び第２の端末装置と通信する基地局装置の通信方法であって、前記第１の端末装置からマルチユーザ重畳送信をサポートすることを示す情報を受信する受信ステップと、前記第１の端末装置及び第２の端末装置に下りリンクデータを送信する送信ステップを有し、前記第１の端末装置からセミパーシステントスケジューリングをサポートすることを示す情報を受信し、セミパーシステントスケジューリングで前記下りリンクを送信する場合、直交マルチアクセスを用いて、前記第１の端末装置及び第２の端末装置に下りリンクデータを送信することを特徴とする。
【００１４】
（８）本発明の一態様は、基地局装置と通信する端末装置であって、前記基地局装置にマルチユーザ重畳送信をサポートすることを示す情報を送信する送信部と、前記基地局装置から下りリンクデータを受信する受信部を備え、前記送信部が前記基地局装置にセミパーシステントスケジューリングをサポートすることを示す情報を送信した場合、前記受信部は、セミパーシステントスケジューリングを用いた下りリンクデータを、直交マルチアクセスを用いていると想定することを特徴とする。
【００１５】
（９）また、本発明の一態様は、前記受信部は、下りリンク制御情報を受信した場合、直交マルチアクセス又はマルチユーザ重畳送信を用いていると想定して、前記下りリンクデータを復調することを特徴とする。
【００１６】
（１０）また、本発明の一態様は、前記受信部は、マルチユーザ重畳送信を用いていると想定して前記下りリンクデータを復調する場合、干渉を除去又は抑圧する処理を行うことを特徴とする。
【００１７】
（１１）本発明の一態様は、基地局装置と通信する端末装置の通信方法であって、前記基地局装置にマルチユーザ重畳送信をサポートすることを示す情報を送信する送信ステップと、前記基地局装置から下りリンクデータを受信する受信ステップを有し、前記基地局装置にセミパーシステントスケジューリングをサポートすることを示す情報を送信した場合、セミパーシステントスケジューリングを用いた下りリンクデータは、直交マルチアクセスを用いていると想定すること、を特徴とする。
【発明の効果】
【００１８】
本発明によれば、端末装置の受信処理の負荷を減らしつつ、干渉信号を軽減することができ、スループットや端末装置の通信機会を向上させることができる。
【図面の簡単な説明】
【００１９】
【図１】第１の実施形態に係る通信システムの例を示す図である。
【図２】第１の非直交多重されている端末装置の電力比の例を示す図である。
【図３】第１の実施形態における基地局装置の構成を示す概略ブロック図である。
【図４】第１の実施形態における端末装置の構成を示す概略ブロック図である。
【図５】第１の実施形態に係る基地局装置がマルチユーザ重畳送信を行うフローチャートの例を示す図である。
【図６】第１の実施形態に係る基地局装置がマルチユーザ重畳送信を行うフローチャートの別例を示す図である。
【図７】第１の実施形態に係る基地局装置がマルチユーザ重畳送信を行うフローチャートの別例を示す図である。
【図８】第１の実施形態に係る基地局装置がマルチユーザ重畳送信を行うフローチャートの別例を示す図である。
【図９】第２の実施形態に係る基地局装置がマルチユーザ重畳送信を行うフローチャートの例を示す図である。
【図１０】第２の実施形態に係る基地局装置がマルチユーザ重畳送信を行うフローチャートの別例を示す図である。
【図１１】第２の実施形態に係る基地局装置がマルチユーザ重畳送信を行うフローチャートの別例を示す図である。
【発明を実施するための形態】
【００２０】
（第１の実施形態）
本実施形態における通信システムは、基地局装置（送信装置、セル、サービングセル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００２１】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２２】
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である
。また、端末装置２Ａ、２Ｂを総称して端末装置２とも称する。
【００２３】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・物理上りリンク制御チャネル（ＰＵＣＣＨ：Physical Uplink Control Channel）
・物理上りリンク共有チャネル（ＰＵＳＣＨ：Physical Uplink Shared Channel）
・物理ランダムアクセスチャネル（ＰＲＡＣＨ：Physical Random Access Channel）
【００２４】
ＰＵＣＣＨは、上りリンク制御情報（Uplink Control Information: UCI）を送信する
ために用いられる。上りリンク制御情報の送信に対して、複数のＵＣＩフォーマットが定義される。すなわち、上りリンク制御情報に対するフィールドがＵＣＩフォーマットに定義され、情報ビットへマップされる。
【００２５】
上りリンク制御情報は、下りリンクデータ（下りリンクトランスポートブロック、Downlink-Shared Channel: DL-SCH）に対するＡＣＫ（a positive acknowledgement）またはＮ
ＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
上りリンク制御情報は、スケジューリングリクエスト（ＳＲ：Scheduling Request）を含む。
【００２６】
上りリンク制御情報は、下りリンクに対するチャネル状態情報（Channel State Information: CSI）を含む。上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するラ
ンク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００２７】
前記チャネル品質指標ＣＱＩ（以下、ＣＱＩ値）は、所定の帯域における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変調方式や符号化率により定められた
インデックス（CQI Index）とすることができる。前記ＣＱＩ値は、予め当該システムで
定めたものをすることができる。
【００２８】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２９】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３０】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control
）層において処理（送信）される情報／信号である。
【００３１】
例えば、パワーヘッドルームは、ＭＡＣ  ＣＥに含まれ、ＰＵＳＣＨを経由して報告されてもよい。すなわち、ＭＡＣ  ＣＥのフィールドが、パワーヘッドルームのレベルを示すために用いられる。
【００３２】
ＰＲＡＣＨは、ランダムアクセスプリアンブルを送信するために用いられる。
【００３３】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。上りリンク参照信号には、ＤＭＲＳ（Demodulation Reference Signal）、ＳＲＳ（Sounding Reference Signal）が含まれる。
【００３４】
ＤＭＲＳは、ＰＵＳＣＨまたはＰＵＣＣＨの送信に関連する。例えば、基地局装置１Ａは、ＰＵＳＣＨまたはＰＵＣＣＨを復調する際の伝搬路補正を行うためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００３５】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・物理報知チャネル（ＰＢＣＨ：Physical Broadcast Channel）
・物理制御フォーマット指示チャネル（ＰＣＦＩＣＨ：Physical Control Format Indicator Channel）
・物理ハイブリッド自動再送要求指示チャネル（ＰＨＩＣＨ：Physical Hybrid automatic repeat request Indicator Channel）
・物理下りリンク制御チャネル（ＰＤＣＣＨ：Physical Downlink Control Channel）
・拡張物理下りリンク制御チャネル（ＥＰＤＣＣＨ：Enhanced Physical Downlink Control Channel）
・物理下りリンク共有チャネル（ＰＤＳＣＨ： Physical Downlink Shared Channel）
【００３６】
ＰＢＣＨは、端末装置で共通に用いられるマスターインフォメーションブロック（Master Information Block: MIB, Broadcast Channel: BCH）を報知するために用いられる。
ＰＢＣＨは、システム帯域、システムフレーム番号（ＳＦＮ：System Frame number）、
ｅＮＢによって使用される送信アンテナ数などの情報が含まれる。ＰＣＦＩＣＨは、ＰＤＣＣＨの送信に用いられる領域（例えば、ＯＦＤＭシンボルの数）を指示する情報を送信するために用いられる。
【００３７】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００３８】
ＰＤＣＣＨおよびＥＰＤＣＣＨは、下りリンク制御情報（ＤＣＩ：Downlink Control I
nformation）を送信するために用いられる。下りリンク制御情報の送信に対して、複数のＤＣＩフォーマットが定義される。すなわち、下りリンク制御情報に対するフィールドがＤＣＩフォーマットに定義され、情報ビットへマップされる。
【００３９】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４０】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４１】
例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４２】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４３】
上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標（ＲＩ：Rank Indicator）、好適なプリコーダを指定するプリコーディング行列指標（ＰＭＩ：Precoding Matrix Indicator）、好適な伝送レートを指定するチャネル品質指標（ＣＱＩ：Channel Quality Indicator）、プリコーディングタイプ指標（ＰＴＩ：Precoding type Indicator）などが該当する。
【００４４】
上りリンクに対するＤＣＩフォーマットは、端末装置が基地局装置にフィードバックするチャネル状態情報報告(CSI feedback report)をマップする上りリンクリソースを示す
設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４５】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００４６】
上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４７】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００４８】
ＰＤＳＣＨは、下りリンクデータ（下りリンクトランスポートブロック、DL-SCH）を送信するために用いられる。ＰＤＳＣＨは、システムインフォメーションブロックタイプ１メッセージを送信するために用いられる。システムインフォメーションブロックタイプ１メッセージは、セルスペシフィック（セル固有）な情報である。
【００４９】
ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５０】
ＰＤＳＣＨは、ＲＲＣメッセージを送信するために用いられる。基地局装置から送信されるＲＲＣメッセージは、セル内における複数の端末装置に対して共通であってもよい。また、基地局装置１Ａから送信されるＲＲＣメッセージは、ある端末装置２に対して専用のメッセージ（dedicated signalingとも称する）であってもよい。すなわち、ユーザ装
置スペシフィック（ユーザ装置固有）な情報は、ある端末装置に対して専用のメッセージを使用して送信される。ＰＤＳＣＨは、ＭＡＣ  ＣＥを送信するために用いられる。
【００５１】
ここで、ＲＲＣメッセージおよび／またはＭＡＣ  ＣＥを、上位層の信号（higher layer signaling）とも称する。
【００５２】
ＰＤＳＣＨは、下りリンクのチャネル状態情報を要求するために用いることができる。ＰＤＳＣＨは、端末装置が基地局装置にフィードバックするチャネル状態情報報告(CSI feedback report)をマップする上りリンクリソースを送信するために用いることができる
。例えば、チャネル状態情報報告は、定期的チャネル状態情報（Periodic CSI）／不定期的チャネル状態情報（Aperiodic CSI）を報告する上りリンクリソースを示す設定のため
に用いることができる。チャネル状態情報報告は、定期的に／不定期的にチャネル状態情報を報告するモード設定（CSI report mode）のために用いることができる。
【００５３】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００５４】
下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５５】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００５６】
下りリンク参照信号には、ＣＲＳ（Cell-specific Reference Signal;セル固有参照信
号）、ＰＤＳＣＨに関連するＵＲＳ（UE-specific Reference Signal；端末固有参照信号、端末装置固有参照信号）、ＥＰＤＣＣＨに関連するＤＭＲＳ（Demodulation Reference
Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５７】
ＣＲＳは、サブフレームの帯域全体に散在して送信され、ＰＢＣＨ／ＰＤＣＣＨ／ＰＨＩＣＨ／ＰＣＦＩＣＨ／ＰＤＳＣＨを復調するために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨを復調するために用いられる。ＣＲＳは、ｍｅａｓｕｒｅｍｅｎｔのために用いることもできる。
【００５８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５９】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００６０】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００６１】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６２】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（Transport Block: TB）、ま
たは、ＭＡＣ  ＰＤＵ（Protocol Data Unit）とも称する。トランスポートブロックは、ＭＡＣ層が物理層に渡す（deliverする）データの単位である。物理層において、トラン
スポートブロックはコードワードにマップされ、コードワード毎に符号化処理などが行なわれる。
【００６３】
基地局装置は、通信装置との上りリンク及び下りリンク通信において、ダイナミックスケジューリング（ＤＳ：Dynamic Scheduling）とセミパーシステントスケジューリング（ＳＰＳ：Semi-Persistent Scheduling）などのスケジューリング方式を適用できる。基地局装置１Ａは、ＤＳを用いて、端末装置２Ａ及び２Ｂをスケジューリングする。基地局装置１Ａは、ＤＳを用いて端末装置２Ａをスケジューリングし、ＳＰＳを用いて端末装置２Ｂをスケジューリングする。基地局装置１Ａは、ＳＰＳを用いて端末装置２Ａをスケジューリングし、ＤＳを用いて端末装置２Ｂをスケジューリングする。基地局装置１Ａは、ＳＰＳを用いて、端末装置２Ａ及び２Ｂをスケジューリングする。
【００６４】
ＤＳにおいて、基地局装置１Ａは、端末装置２の流量やサービス品質（ＱｏＳ：Quality of Service）により、データ送信用の周波数／時間／空間リソースを端末装置２にダイナミックに割り当てる。ＤＳにおいて、基地局装置１Ａは、所定の周波数及び所定の時間で構成されるリソースブロック単位で各端末装置にリソースをダイナミックに割り当てる。基地局装置１Ａは、各端末装置宛に送信するＰＤＣＣＨを用いて、リソース割当てなどのＰＤＳＣＨ／ＰＵＳＣＨなどを送信するためのリソースを通知する。
【００６５】
ＳＰＳにおいて、基地局装置１Ａは、端末装置２に、一定の周期でデータ送信用の周波数／時間／空間リソースを割り当てる。例えば、ＳＰＳは、データを周期的に生成する上位層アプリケーションサービス（例えばＶｏＩＰ（ボイス・オーバー・インターネット・プロトコル））を提供するために用いられる。ＳＰＳにおいて、基地局装置１Ａは、各端末装置宛に送信するＰＤＣＣＨを用いて、ＰＤＳＣＨ／ＰＵＳＣＨなどを送信する周期、リソース割当てなどを通知する。その後、ＰＤＳＣＨ／ＰＵＳＣＨは、前記周期などに基づいて、周期的に送信される。ＳＰＳでは、一定の周期で、端末装置にリソースが割り当てられるため、基地局装置がＰＤＣＣＨで制御情報を送信するのを抑制し、システムスケジューリング効率が向上する。言い換えれば、ＳＰＳは一定の周期でリソースを端末装置に割り当てるため、端末装置がＰＤＣＣＨをモニターせずとも周期的に伝送を行うこと、そして各周期の伝送が新規データの伝送であることを確保することができる。
【００６６】
本実施形態に係る基地局装置は、時間、周波数及び空間（例えば、アンテナポート、ビームパターン、プリコーディングパターン）においてリソースを分割することなく複数の端末装置を多重することができる。時間／周波数／空間においてリソースを分割することなく複数の端末装置を多重することを、以下では非直交多元接続（ＮＯＭＡ：Non Orthogonal Multiple Access）、マルチユーザ重畳送信（ＭＵＳＴ：Multiuser  Superposition
Transmission）、非直交多重とも称する。以下では、２つの端末装置を非直交多重する場合を説明するが、本発明はこれに限らず、３つ以上の端末装置を非直交多重することも可能である。
【００６７】
図１の基地局装置１Ａが、端末装置２Ａと端末装置２Ｂを非直交多重する場合を例に説明する。特に断りがない限り、端末装置２Ａの方が端末装置２Ｂと比べて、基地局装置１Ａに近い又は受信品質が良いとする。端末装置２Ａのことを基地局装置に近い端末装置（near-UE）、端末装置２Ｂのことを基地局装置から遠い端末装置（Far-UE）とも呼称する
。また、以下の説明では、端末装置２Ａに対するＰＤＳＣＨをＰＤＳＣＨ１（第１のＰＤＳＣＨ）、端末装置２Ｂに対するＰＤＳＣＨをＰＤＳＣＨ２（第２のＰＤＳＣＨ）とも称する。以下の説明では、基地局装置はＰＤＳＣＨでＭＵＳＴする場合を主に説明するが、その他のチャネル（例えばＰＭＣＨ、ＰＤＣＣＨ、ＥＰＤＣＣＨ）でもＭＵＳＴを適用することができる。また、複数のチャネルでＭＵＳＴする場合、各チャネルで異なる重畳送信方式やＭＵＳＴカテゴリ（後述）を用いてＭＵＳＴを適用することができる。複数のチャネルでＭＵＳＴを適用する場合、各チャネルで異なる受信方式を想定することができる。例えば、ＰＤＳＣＨではシンボルレベルの受信方式、ＰＭＣＨではコードワードレベルの受信方式とすることができる。
【００６８】
基地局装置１Ａが端末装置２Ａ、２Ｂを非直交多重して送信する場合、いくつか送信方法がある。例えば、基地局装置１Ａは、端末装置２Ａ、２Ｂに対して、同じコンスタレーションのＱＰＳＫ／１６ＱＡＭ／６４ＱＡＭ／２５６ＱＡＭのマッピングを用いて重畳送信することができる。このような重畳送信方式をＭＵＳＴカテゴリ１とも称する。この場合、端末装置２Ａ、２Ｂを合成したコンスタレーションは非グレイ符号のコンスタレーションとなる。さらに、基地局装置１Ａは端末装置２Ａ、２Ｂに対して様々な比率の電力を割り当てることができる。この場合、端末装置２Ａは、端末装置２Ｂのマッピングパター
ンは自身と同じと想定して干渉信号を除去又は抑圧する。
【００６９】
例えば、基地局装置１Ａは、端末装置２Ａ、２Ｂを合成したコンスタレーションがグレイ符号のコンスタレーションになるように、端末装置２Ａ、２Ｂに対して異なるコンスタレーションを用いて重畳送信することができる。このような重畳送信方式をＭＵＳＴカテゴリ２とも称する。この場合、基地局装置１Ａは端末装置２Ａ、２Ｂに対して様々な比率の電力を割り当てることができる。この場合、端末装置２Ａは、端末装置２Ｂのマッピングパターンは自身とは異なると想定して干渉信号を除去又は抑圧する。
【００７０】
例えば、基地局装置１Ａは、端末装置２Ａ、２Ｂ宛ての送信ビット列を既存のＱＰＳＫ／１６ＱＡＭ／６４ＱＡＭ／２５６ＱＡＭのコンスタレーションとなるようにマッピングして重畳送信することができる。このような重畳送信方式をＭＵＳＴカテゴリ３とも称する。この場合、基地局装置１Ａはマッピングするコンスタレーションに従って端末装置２Ａ、２Ｂの電力を割当てることができる。この場合、端末装置２Ａは、既存マッピングの復調を行い、得られたビットの一部を自身宛のビットとする。
【００７１】
基地局装置１Ａが端末装置２Ａ及び端末装置２Ｂの信号を非直交多重して送信した場合、ＰＤＳＣＨ１とＰＤＳＣＨ２は互いに干渉となる。例えば、基地局装置１Ａは、Ｆａｒ−ＵＥである端末装置２Ａに、ｎｅａｒ−ＵＥである端末装置２Ａより大きい電力を割り当てる。この場合、少なくとも端末装置２Ａは、強い干渉信号を受信するため、干渉信号のハンドリング、除去または抑圧をする。このような干渉信号をマルチユーザ干渉、ユーザ間干渉、マルチユーザ伝送による干渉、同一チャネル干渉などという。干渉信号を除去又は抑圧するためには、例えば、干渉信号の復調又は復号結果から求められる干渉信号レプリカ信号を受信信号から減算する。干渉信号を除去又は抑圧するためには、干渉信号の復調結果によって干渉除去を行うＳＬＩＣ（Ｓｙｍｂｏｌ  Ｌｅｖｅｌ  Ｉｎｔｅｒｆｅｒｅｎｃｅ  Ｃａｎｃｅｌｌａｔｉｏｎ）、干渉信号の復号結果によって干渉除去を行うＣＷＩＣ（Ｃｏｄｅｗｏｒｄ  Ｌｅｖｅｌ  Ｉｎｔｅｒｆｅｒｅｎｃｅ  Ｃａｎｃｅｌｌａｔｉｏｎ）、送信信号候補の中から最もそれらしいものを探索する最尤検出（ＭＬ：maximum likelihood、Ｒ−ＭＬ：Reduced complexity maximum likelihood）、干渉信号を
線形演算によって抑圧するＥＭＭＳＥ−ＩＲＣ（Enhanced Minimum Mean Square Error-Interference Rejection Combining）などがある。
【００７２】
基地局装置は非直交多重する複数の端末装置に対して、共通の端末装置固有参照信号を送信することができる。つまり、基地局装置は、複数の端末装置に対して、時間／周波数／空間で同じリソース、同じ参照信号系列を用いて参照信号を送信することができる。また、基地局装置は端末装置に対し送信モードを設定することができる。基地局装置は、所定の送信モードを設定する場合に、ＭＵＳＴによる送信をすることができる。また、基地局装置は、所定の送信モード以外の送信モード又はＭＵＳＴが設定されていない場合に、ＭＵＳＴによる送信をしないとすることができる。言い換えると、端末装置は、設定された送信モードやＭＵＳＴ設定の有無によって、ＭＵＳＴによる送信か否かを判断することができる。
【００７３】
基地局装置は、端末装置２Ａに対しＣＲＳベースの送信モードを設定した場合、端末装置２Ｂに対してＣＲＳベースの送信モードを設定することができる。基地局装置は、端末装置２Ａに対しＤＭＲＳベースの送信モードを設定した場合、端末装置２Ｂに対してＣＲＳ／ＤＭＲＳベースの送信モードを設定することができる。ＣＲＳベースの送信モードは、ＣＲＳを用いて復調する送信モードであり、例えば、送信モード１〜６のいずれかである。ただし、このいずれかの送信モードに限るものではない。ＤＭＲＳベースの送信モードは、端末固有参照信号を用いて復調する送信モードであり、例えば送信モード８〜１０のいずれかである。ただし、このいずれかの送信モードに限るものではない。
【００７４】
端末装置２Ａと２ＢはそれぞれＭＵＳＴの送信モードに設定されている、ＭＵＳＴの送信モードに設定されていないとしてもよいし、ＭＵＳＴ送信が構成されている、ＭＵＳＴ送信が構成されていないとしてもよいし、Ｒ−ＭＬもしくはＳＬＩＣによる信号検出が必須、Ｒ−ＭＬもしくはＳＬＩＣをしなくてもよいとしてよい。また、端末装置２Ａと２ＢはそれぞれＭＵＳＴが可能な端末、ＭＵＳＴが可能でない端末としてもよいし、干渉信号に関する情報を制御信号で受信する、干渉信号に関する情報を制御信号で受信しないとしてもよい。
【００７５】
端末装置２Ａは、干渉信号の除去又は抑圧に必要なパラメータを、基地局装置から受信もしくはブラインド検出によって検出することができる。端末装置２Ｂは、干渉信号の除去または抑圧をしてもよいし、しなくてもよい。端末装置２Ｂが干渉信号を除去または抑圧しない場合、干渉信号電力は比較的小さいため、端末装置２Ｂは、干渉信号に関するパラメータを知らなくても、自装置宛の信号を復調することができる。基地局装置１Ａが端末装置２Ａ及び２Ｂを非直交多重する場合、端末装置２Ａは、非直交多重による干渉信号を除去又は抑圧する機能を備える必要があるが、端末装置２Ｂは干渉除去又は抑圧する機能を備えても、備えなくてもよい。言い換えると、基地局装置１Ａは、非直交多重をサポートしている端末装置と非直交多重をサポートしていない端末装置を非直交多重することができる。別の言い方では、基地局装置１Ａは、異なる送信モードが設定されている端末装置を非直交多重することができる。従って、各端末装置の通信機会を向上させることができる。
【００７６】
基地局装置１Ａは、干渉となる端末装置（図１における端末装置２Ｂ）に関する情報（ＭＵＳＴにおけるアシスト情報、補助情報、制御情報、設定情報）を、端末装置２Ａに送信する。基地局装置１Ａは、上位層の信号または物理層の信号（制御信号、ＰＤＣＣＨ、ＥＰＤＣＣＨ）で、干渉となる端末装置に関する情報（ＭＵＳＴアシスト情報、ＭＵＳＴ情報）を送信することができる。
【００７７】
ＭＵＳＴアシスト情報には、ＰＡに関する情報、送信モード（送信方式）に関する情報、端末固有参照信号の送信電力に関する情報、ＰＤＳＣＨに関する電力割当て情報、ＰＭＩ、サービングセルのＰＡに関する情報、サービングセルの端末固有参照信号の送信電力に関する情報、変調方式、ＭＣＳ（Ｍｏｄｕｌａｔｉｏｎ  ａｎｄ  Ｃｏｄｉｎｇ  Ｓｃｈｅｍｅ）、リダンダンシーバージョン、Ｃ（Ｃｅｌｌ）−ＲＮＴＩ（Ｒａｄｉｏ  Ｎｅｔｗｏｒｋ  Ｔｅｍｐｏｒａｒｙ  Ｉｄｅｎｔｉｆｉｅｒ）、ＳＰＳ（Ｓｅｍｉ−Ｐｅｒｓｉｓｔｅｎｔ Ｓｃｈｅｄｕｌｉｎｇ）  Ｃ−ＲＮＴＩ、ＭＵＳＴ−ＲＮＴＩ、基地局
装置に近い端末装置（near-UE）か遠い端末装置（Ｆａｒ−ＵＥ）かを示す情報、ＭＵＳ
Ｔカテゴリ（方式）、コードワードインデックス、レイヤインデックス、トランスポートブロックインデックス、物理チャネル情報の一部または全部が含まれる。
【００７８】
ＰＡは、ＣＲＳが配置されていないＯＦＤＭシンボルにおけるＰＤＳＣＨとＣＲＳの送信電力比（電力オフセット）に基づく情報である。送信モード（送信方式）に関する情報は、干渉信号の送信モードや基地局装置１Ａが設定できる（設定する可能性のある）送信モードの候補など、端末装置２Ａが干渉信号の送信モードを知る（検出する）ためのアシスト情報である。送信方式は、送信ダイバーシチ、Ｌａｒｇｅ  Ｄｅｌａｙ  ＣＤＤ（Cyclic Delay Diversity）、Ｏｐｅｎ−ｌｏｏｐ  ＭＩＭＯ、Ｃｌｏｓｅｄ−ｌｏｏｐ  ＭＩＭＯなどである。またコードワード／レイヤ／トランスポートブロックインデックスは、複数のコードワード／レイヤ／トランスポートブロックで送信された場合にどのコードワード／レイヤ／トランスポートブロックでＭＵＳＴが適用されたかを示す情報である。物理チャネル情報は、どの物理チャネルでＭＵＳＴが適用されたかを示す情報であり、例えば、ＰＤＳＣＨやＰＭＣＨを示すことができる。
【００７９】
基地局装置に近い端末装置及び遠い端末装置は、近い端末装置はＭＵＳＴによる干渉除去または抑圧をする、遠い端末装置はＭＵＳＴによる干渉除去または抑圧しない、を意味してもよい。基地局装置に近い端末装置及び遠い端末装置は、近い端末装置は遠い端末よりも割当て電力が小さいこと、を意味してもよい。また、基地局装置に近い端末装置及び遠い端末装置は、近い端末装置は電力比が０．５よりも小さく、遠い端末装置は電力比が０．５以上であること、を意味してもよい。基地局装置に近い端末装置及び遠い端末装置は、近い端末装置は遠い端末よりも変調多値数又はＭＣＳが低いことを意味してもよい。
【００８０】
また、上記のＭＵＳＴアシスト情報に含まれるパラメータの各々は、１つの値（候補、リスト）が設定されてもよいし、複数の値（候補、リスト）が設定されてもよい。複数の値が設定された場合は、端末装置は、そのパラメータについては、複数の値から干渉信号に設定されているパラメータを検出（ブラインド検出）する。上記のＭＵＳＴアシスト情報に含まれるパラメータの一部または全部は、上位層の信号で送信される。上記のＭＵＳＴアシスト情報に含まれるパラメータの一部または全部は、物理層の信号で送信することもできる。
【００８１】
ＭＵＳＴアシスト情報は、様々な測定を行うときに用いられてもよい。測定は、ＲＲＭ（Ｒａｄｉｏ  Ｒｅｓｏｕｒｃｅ  Ｍａｎａｇｅｍｅｎｔ）測定、ＣＳＩ（Ｃｈａｎｎｅｌ  Ｓｔａｔｅ  Ｉｎｆｏｒｍａｔｉｏｎ）測定を含む。
【００８２】
端末装置２Ａが複数のコンポーネントキャリア（ＣＣ：Ｃｏｍｐｏｎｅｎｔ  Ｃａｒｒｉｅｒ）を合わせて広帯域伝送を行うキャリアアグリゲーション（Ｃａｒｒｉｅｒ  Ａｇｇｒｅｇａｔｉｏｎ：ＣＡ）をサポートしている場合、基地局装置１Ａはプライマリセル（Ｐｒｉｍａｒｙ  Ｃｅｌｌ：ＰＣｅｌｌ）及び／又はセカンダリセル（Ｓｅｃｏｎｄａｒｙ  Ｃｅｌｌ：ＳＣｅｌｌ）に対するＭＵＳＴアシスト情報を設定することができる。また、基地局装置１Ａは、ＭＵＳＴアシスト情報をＰＣｅｌｌのみに対して設定又は送信することもできる。
【００８３】
端末装置２Ａ／２Ｂが隣接セルからのＣＲＳ／ＰＤＳＣＨ干渉を除去又は抑圧するＮＡＩＣＳ（Network Assisted Interference Cancellation and Suppression）をサポートしている場合、基地局装置は、端末装置２Ａ／２Ｂに、隣接セルからの干渉を除去するために使われるＮＡＩＣＳアシスト情報を送信することができる。ＮＡＩＣＳアシスト情報は、物理セルＩＤ、ＣＲＳアンテナポート数、ＭＢＳＦＮサブフレーム構成、ＰＡのリスト、ＰＢ、送信モードのリスト、リソース割当て粒度の一部又は全部を含む。なお、ＰＢはＣＲＳが配置されているＯＦＤＭシンボルにおけるＰＤＳＣＨとＣＲＳが配置されていないＯＦＤＭシンボルにおけるＰＤＳＣＨの電力比を表す。
【００８４】
なお、基地局装置は、端末装置に対して、ＭＵＳＴアシスト情報とＮＡＩＣＳアシスト情報を同時に設定しないことができる。ＮＡＩＣＳアシスト情報が設定されている場合、ＭＵＳＴアシスト情報は設定されない。ＭＵＳＴアシスト情報が設定されている場合、ＮＡＩＣＳアシスト情報は設定されない。端末装置は、ＭＵＳＴアシスト情報とＮＡＩＣＳアシスト情報が同時に設定された場合、どちらか一方のアシスト情報に基づいて干渉を除去又は抑圧することができる。例えば、端末装置は、ＭＵＳＴアシスト情報とＮＡＩＣＳアシスト情報が同時に設定された場合、ＭＵＳＴアシスト情報又はＮＡＩＣＳアシスト情報のみに基づいて干渉を除去又は抑圧することができる。
【００８５】
端末装置２Ａは、上位層の信号及び／又は物理層の信号で、ＭＵＳＴアシスト情報を受信し、ＭＵＳＴアシスト情報に基づいて、干渉信号を除去または抑圧するためのパラメータを検出（特定）し、前記パラメータを用いて干渉信号を除去又は抑圧する。なお、端末
装置２Ａは、ＭＵＳＴ情報に含まれていないパラメータについて、パラメータの候補を順に検出を試みるブラインド検出によって、検出することができる。
【００８６】
電力割当て情報は、上位層又は物理層でテーブルやリストが設定され、基地局装置が物理層の信号でそのインデックスをシグナリングすることで端末装置に電力比を指示することができる。端末装置は、基地局装置から受信したＭＵＳＴ設定及びインデックスから、テーブルやリストを参照して電力比を得ることができる。
【００８７】
図２は、本実施形態に係る非直交多重されている端末装置の電力比の例を示す図である。例えばテーブルの値が１の場合、自装置の電力比を０．２、ＭＵＳＴのペアとなる端末装置の電力比は1−０．２＝０．８と求めることができる。なお、このペアとなる電力比
もテーブルで示されても良い。また、テーブルは、電力比＝０を含むように生成されてもよい。この場合。ペアとなる端末装置の電力比は０となるため、干渉信号がないことも示すことができる。
【００８８】
ＭＵＳＴの適用が可能であることを示す情報が所定の電力割当てを示すようにしてもよい。例えば、ＭＵＳＴが適用される場合、多重される端末装置の電力比が、２０：８０と予め設定されている。この場合、ＭＵＳＴの適用が可能であることを示す情報が端末装置２Ａから基地局装置１Ａ又は基地局装置１Ａから端末装置２Ａへ送信された場合、端末装置２Ａは、端末装置２Ａと端末装置２Ｂの電力比が、２０：８０であることを想定する。
【００８９】
基地局装置は、送信モードによって、下りリンク制御情報の内容を変更することができる。例えばＣＲＳベースの送信モードの場合、基地局装置は、電力割当て情報を下りリンク制御情報に含めて送信する。ＤＭＲＳベースの場合、基地局装置は、ＣＲＳベースの送信モードの場合に電力割当て情報に用いたビットを、例えば干渉信号のアンテナポートやＰＭＩなど、別の情報に置き換える。言い換えると、端末装置は、下りリンク制御情報に含まれるあるフィールドから、ＣＲＳベースの送信モードで設定された場合は電力割当て情報を得ることができ、ＤＭＲＳベースの送信モードの場合は干渉信号のアンテナポートやＰＭＩなどの別の情報を得ることができる。また、端末装置は、ＤＭＲＳベースの送信モードの場合、電力割当て情報は、自身及びＭＵＳＴペアとなる端末装置の端末装置固有参照信号から得ることができる。
【００９０】
図３は、本実施形態における基地局装置１Ａの構成を示す概略ブロック図である。基地局装置１Ａは、上位層処理部（上位層処理ステップ）１０１、制御部（制御ステップ）１０２、送信部（送信ステップ）１０３−１、１０３−２、受信部（受信ステップ）１０４と送信アンテナ１０５−１、１０５−２、受信アンテナ１０６−１を含んで構成される。上位層処理部１０１は、無線リソース制御部（無線リソース制御ステップ）１０１１、スケジューリング部（スケジューリングステップ）１０１２を含んで構成される。送信部１０３−１は、端末装置２Ａへの送信信号を生成する。送信部１０３−２は、端末装置２Ｂへの送信信号を生成する。送信部１０３−１、１０３−２を総称して、送信部１０３とも称する。送信アンテナ１０５−１、１０５−２を総称して、送信アンテナ１０５とも称する。
【００９１】
送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００９２】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。上位層処理部１０１は、送信部１０３および受信部１０４の制御を行なうために必要な情報を生成し、制御部１０２に出力する。
【００９３】
上位層処理部１０１は、端末装置の機能（UE capability）等、端末装置に関する情報
を端末装置２（受信部１０４を介して）から受信する。言い換えると、端末装置は、自身の機能を基地局装置に上位層の信号で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００９４】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００９５】
前記端末装置に関する情報は、ＭＵＳＴをサポートすることを示す情報、ＳＰＳをサポートすることを示す情報が含まれる。ＭＵＳＴに対応する機能が複数ある場合、端末装置は、機能毎にサポートするかどうかを示す情報を送信することができる。ＭＵＳＴに対応する機能とは、マルチユーザ干渉（ＰＤＳＣＨの干渉）を除去又は抑圧できる能力、アンテナポート、スクランブリングアイデンティティ及びレイヤ数を示す複数のテーブルに対応している能力、所定数のアンテナポート数に対応している能力、キャリアアグリゲーションのＣＣ数やリソースブロック数に対応している能力、所定の送信モードに対応している能力、ＳＰＳに対応している能力（ＳＰＳに対応しているＭＵＳＴをサポートすることを示す情報、ＳＰＳに対応していないＭＵＳＴをサポートすることを示す情報）の一部又は全部である。所定の送信モードに対応している能力とは、例えば、ＭＵＳＴ適用可能な送信モードの組合せやＭＵＳＴの干渉を除去又は抑圧できる送信モードに対応可能かどうか、などである。端末装置は、サポートしているＭＵＳＴ適用可能なチャネルを基地局装置に送信することができる。ＭＵＳＴ適用可能なチャネルは、例えば、ＰＤＳＣＨとＰＤＳＣＨの重畳送信や、ＰＭＣＨとＰＭＣＨの重畳送信、ＰＤＣＣＨとＰＤＣＣＨの重畳送信、ＥＰＤＣＣＨとＥＰＤＣＣＨの重畳送信などである。
【００９６】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。無線リソース制御部１０１１は、端末装置２の各種設定情報の管理をする。なお、無線リソース制御部の機能の一部は、ＭＡＣレイヤや物理レイヤで行われてもよい。
【００９７】
無線リソース制御部１０１１は、キャリアアグリゲーションに関する情報（例えば、Ｓｃｅｌｌの追加／解除、など）を設定することができる。無線リソース制御部１０１１は、ＭＢＳＦＮサブフレームに関する情報（例えば、ＭＢＳＦＮのためのサブフレーム割当て、など）を設定することができる。
【００９８】
無線リソース制御部１０１１は、各端末装置のためのＭＵＳＴの設定に関する情報（例
えば、ＭＵＳＴアシスト情報）を設定する。無線リソース制御部１０１１は、各端末装置のためのセル無線ネットワーク一時的識別子（Ｃ−ＲＮＴＩ：Cell Radio Network Temporary Identifier）を設定する。例えば、Ｃ−ＲＮＴＩは、ダイナミックスケジューリン
グにおける端末識別子である。Ｃ−ＲＮＴＩは、ダイナミックスケジューリングにおけるＰＤＣＣＨ、ＰＤＳＣＨの暗号化（スクランブリング）に用いられる。無線リソース制御部１０１１は、各端末装置のためのセミパーシステントセル無線ネットワーク一時的識別子（ＳＰＳ  Ｃ−ＲＮＴＩ：Semi-Persisitent Scheduling Cell Radio Network Temporary Identifier）を設定する。ＳＰＳ  Ｃ−ＲＮＴＩは、セミパーシステントスケジュー
リングにおける端末識別子である。ＳＰＳ  Ｃ−ＲＮＴＩは、セミパーシステントスケジューリングにおけるＰＤＣＣＨ、ＰＤＳＣＨの暗号化（スクランブリング）に用いられる。
【００９９】
無線リソース制御部１０１１は、各端末装置のためのＳＰＳに関する情報を設定することができる。ＳＰＳ設定は、個別的な無線リソース設定パラメータ内（例えば、ＬＴＥ−ＡにおけるRadioResourceConfigDedicated）に含めることができる。ＳＰＳ設定は、ＬＴＥ−ＡにおけるパラメータＳＰＳ−Ｃｏｎｆｉｇを用いることができる。ＳＰＳ設定は、ＳＰＳ  Ｃ−ＲＮＴＩの設定、下りリンク／上りリンクにおけるＳＰＳのセットアップ、リリースを示すパラメータを含む。ＳＰＳ設定は、下りリンク／上りリンクにおけるセミパーシステントスケジューリング間隔を示すパラメータを含む。ＳＰＳ設定は、セミパーシステントスケジューリングにおけるＨＡＲＱプロセス数を示すパラメータを含む。無線リソース制御部１０１１は、前記ＭＵＳＴアシスト情報が設定された場合、ＳＰＳ設定をできないようにしてもよい。無線リソース制御部１０１１は、前記ＳＰＳ設定がされる場合、ＭＵＳＴアシスト情報を設定できないようにしてもよい。無線リソース制御部１０１１は、キャリアアグリゲーション設定している端末装置（例えば、Ｓｃｅｌｌが設定されている場合）／キャリアアグリゲーションを活性化（activation）している端末装置はＭＵＳＴを適用できないように制御することもできる。無線リソース制御部１０１１は、キャリアアグリゲーションを活性化（activation）している端末装置はＭＵＳＴを適用できないように制御することもできる。無線リソース制御部１０１１は、ＭＢＳＦＮを設定しているサブフレーム／ＭＢＳＦＮサブフレームを設定している端末装置は、ＭＵＳＴを適用できないように制御することもできる。
【０１００】
スケジューリング部１０１２は、各端末装置に送信する物理チャネル（ＰＤＳＣＨおよびＰＵＳＣＨ）を割り当てる周波数及び時間リソース（サブキャリア及びサブフレーム）を決定する。スケジューリング部１０１２は、各端末装置がＭＵＳＴをサポートしているか否かを考慮して、周波数及び時間リソースを割り当てる。スケジューリング部１０１２は、各端末装置のスケジューリング方式（ＤＳ／ＳＰＳ）を考慮して、周波数及び時間リソースを割り当てる。スケジューリング部１０１２は、端末装置２Ａと端末装置２ＢをＭＵＳＴする場合、両端末装置の下りリンクデータを、重複する周波数及び時間リソース（リソースブロック）に割り当てる。この場合、スケジューリング部１０１２は、両端末装置の周波数及び時間リソースを同じにすることが好ましい。スケジューリング部１０１２は、端末装置２Ａと端末装置２ＢをＭＵＳＴしない場合（直交多元接続（ＯＭＡ：Orthogonal Multiple Access）を行う場合）、両端末装置の下りリンクデータを、異なる周波数及び時間リソースに割り当てる。スケジューリング部１０１２は、前記無線リソース制御部１０１１のＭＵＳＴに関する設定（ＭＵＳＴの設定と他機能の設定のコラボレーションも含む）、ＳＰＳに関する設定を考慮して、ＭＵＳＴ又はＯＭＡを用いて、下りリンクデータにリソースを割り当てることもできる。
【０１０１】
スケジューリング部１０１２は、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。スケジューリング部１０１２
は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【０１０２】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。下りリンク制御情報は、ＰＤＳＣＨ／ＰＵＳＣＨのリソース割当てフィールド、ＨＡＲＱプロセス番号フィールド、新規データ指標（ＮＤＩ：New Date Indicator）フィールドを含む。制御部１０２は、下りリンク制御信号に、前記ＰＤＳＣＨ／ＰＵＳＣＨのリソース割当てフィールドで送信されるチャネルは、該ＭＵＳＴが適用されていることを示す情報を含めることができる。
【０１０３】
制御部１０２は、下りリンク制御情報を用いて、ＳＰＳの活性化／解除（activation/Release）を設定することができる。例えば、上りリンクチャネルのためのＴＰＣコマンドフィールド／復調用参照信号のためのサイクリックシフトフィールド／ＭＣＳに関するフィールド／ＨＡＲＱプロセス番号フィールド／冗長性に関するフィールド／リソース割当てに関するフォールド、などのコンビネーションを用いて、ＳＰＳの活性化／解除を設定することができる。
【０１０４】
生成されたＤＣＩフォーマットのデータ系列に対してＣＲＣ（Cyclic Redundancy Check）が生成される。ＤＳの場合は、生成されたＣＲＣに対してＣ−ＲＮＴＩ（Cell-Radio Network Temporary Identifier）による暗号化（スクランブリング）が行われる。ＳＰＳの場合は、生成されたＣＲＣに対してＳＰＳ  Ｃ−ＲＮＴＩによる暗号化が行われる。暗号化が行われたＣＲＣがＤＣＩフォーマットに付加される。ＤＣＩフォーマットとして生成された信号はＰＤＣＣＨに配置される。
【０１０５】
ＤＳにおいて、端末装置はＰＤＣＣＨに含まれるＨＡＲＱプロセスＩＤとＮＤＩフィールドに基づいて、割り当てられたリソースに対応する送信が新規か、再送かを判断する。ＮＤＩの値が、同じＨＡＲＱプロセスにおいて前のＮＤＩの値と異なれば新規と判断し、同じＨＡＲＱプロセスにおいて前のＮＤＩの値と同じであれば再送と判断する。
【０１０６】
ＳＰＳのＮＤＩは定義が異なる。ＮＤＩの値は、ＳＰＳ Ｃ−ＲＮＴＩに対して送信さ
れるＰＤＣＣＨシグナリングの機能を示す。受信したＮＤＩの値が０であれば、ＳＰＳ 
Ｃ−ＲＮＴＩに対して割り当てられるＰＤＣＣＨシグナリングはＳＰＳの送信リソースの起動または修正用のものであり、受信したＮＤＩの値が１であれば、ＳＰＳ Ｃ−ＲＮＴ
Ｉに対して割り当てられるＰＤＣＣＨシグナリングは、ＳＰＳ再送のために送信リソースを端末装置に割り当てられる。
【０１０７】
送信部１０３は、制御部１０２から入力された制御信号に従って、下りリンク参照信号を生成する。送信部１０３は、各端末装置のために、上位層処理部１０１から入力されたＨＡＲＱインディケータ、下りリンク制御情報および下りリンクデータを符号化および変調し、ＰＨＩＣＨ、ＰＤＣＣＨ、ＥＰＤＣＣＨ、ＰＤＳＣＨを生成する。送信部１０３は、ＰＨＩＣＨ、ＰＤＣＣＨ、ＥＰＤＣＣＨ、ＰＤＳＣＨ及び下りリンク参照信号を多重して、送受信アンテナ１０５を介して端末装置２に信号を送信する。
【０１０８】
符号化部１０３１は、上位層処理部１０１から入力されたＨＡＲＱインディケータ、下りリンク制御情報および下りリンクデータを、予め定められた／無線リソース制御部１０１１が決定した符号化方式を用いて、ブロック符号化、畳み込み符号化、ターボ符号化などの符号化を行なう。変調部１０３２は、符号化部１０３１から入力された符号化ビット
をＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の
予め定められた／無線リソース制御部１０１１が決定した変調方式で変調する。
【０１０９】
下りリンク参照信号生成部１０３３は、端末装置２が既知の系列を下りリンク参照信号として生成する。前記既知の系列は、基地局装置１Ａを識別するための物理セル識別子（ＰＣＩ、セルＩＤ）などを基に予め定められた規則で求まる。
【０１１０】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１１１】
無線送信部１０３５は、多重された変調シンボルなどを逆高速フーリエ変換（Inverse Fast Fourier Transform: IFFT）してＯＦＤＭシンボルを生成する。無線送信部１０３５は、前記ＯＦＤＭシンボルにサイクリックプレフィックス（cyclic prefix: CP）を付加
してベースバンドのディジタル信号を生成する。さらに、無線送信部１０３５は、前記ディジタル信号をアナログ信号に変換し、フィルタリングにより余分な周波数成分を除去し、搬送周波数にアップコンバートし、電力増幅し、送信アンテナ１０５に出力して送信する。
【０１１２】
受信部１０４は、制御部１０２から入力された制御信号に従って、送受信アンテナ１０６−１を介して端末装置２から受信した受信信号を分離、復調、復号し、復号した情報を上位層処理部１０１に出力する。
【０１１３】
無線受信部１０４１は、受信アンテナ１０６−１を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力す
る。
【０１１４】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。多重分離部１０４２は、ＰＵＣＣＨとＰＵＳＣＨの伝搬路の補償を行なう。また、多重分離部１０４２は、上りリンク参照信号を分離する。
【０１１５】
復調部１０４３は、ＰＵＳＣＨを逆離散フーリエ変換（Inverse Discrete Fourier Transform: IDFT）変調シンボルを取得する。復調部１０４３は、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１１６】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報
を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１１７】
図４は、本実施形態における端末装置２の構成を示す概略ブロック図である。端末装置２は、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５、送信アンテナ２０６及び受信アンテナ２０７を含んで構成される。上位層処理部２０１は、無線リソース制御部（無線リソース制御ステップ）２０１１、スケジューリング情報解釈部（スケジューリング情報解釈ステップ）２０１２を含んで構成される。送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。受信部２０４は、無線受信部（無線受信ステップ）２０４１、多重分離部（多重分離ステップ）２０４２、信号検出部（信号検出ステップ）２０４３を含んで構成される。
【０１１８】
上位層処理部２０１は、ユーザの操作等によって生成された上りリンクデータ（トランスポートブロック）を、送信部２０３に出力する。上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無
線リソース制御（Radio Resource Control: RRC）層の処理を行なう。
【０１１９】
上位層処理部２０１は、自端末装置がサポートしている端末装置の機能を示す情報を、送信部２０３に出力する。例えば、自端末装置がサポートしている端末装置の機能を示す情報は、ＭＵＳＴをサポートすることを示す情報、ＳＰＳをサポートすることを示す情報、キャリアアグリゲーションをサポートすることを示す情報などがある。上位層処理部２０１は、ＭＵＳＴに対応する機能が複数ある場合、機能毎にサポートするかどうかを示す情報を送信することができる。上位層処理部２０１は、ＳＰＳに対応する機能が複数ある場合、機能毎にサポートするかどうかを示す情報を送信することができる。
【０１２０】
無線リソース制御部２０１１は、自端末装置の各種設定情報の管理をする。無線リソース制御部２０１１は、上りリンクの各チャネルに配置される情報を生成し、送信部２０３に出力する。例えば、無線リソース制御部２０１１は、前記自端末装置がサポートしている端末装置の機能を示す情報をＲＲＣ層でシグナリングする。無線リソース制御部２０１１は、基地局装置から送信されたＣＳＩフィードバックに関する設定情報を取得し、制御部２０２に出力する。
【０１２１】
無線リソース制御部２０１１は、受信部２０４からＳＰＳ設定情報を取得する。無線リソース制御部２０１１は、受信部２０４から干渉となる端末装置に関する情報（ＭＵＳＴアシスト情報）を取得する。無線リソース制御部２０１１は、ＭＵＳＴをサポートすることを示す情報を基地局装置１Ａに送信したとき、前記ＭＵＳＴアシスト情報を取得するようにしてもよい。無線リソース制御部２０１１は、ＭＵＳＴをサポートすることを示す情報を基地局装置１Ａから受信したとき、前記ＭＵＳＴアシスト情報を取得するようにしてもよい。前記ＳＰＳ設定情報、ＭＵＳＴアシスト情報は、制御部２０２に入力される。
【０１２２】
スケジューリング情報解釈部２０１２は、受信部２０４を介して受信した下りリンク制御情報（ＤＣＩ）を解釈し、スケジューリング情報を判定する。スケジューリング情報解釈部２０１２は、スケジューリング情報に基づき、受信部２０４、および送信部２０３の制御を行なうために制御情報を生成し、制御部２０２に出力する。
【０１２３】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１２４】
制御部２０２は、チャネル状態情報生成部２０５が生成したＣＳＩを基地局装置に送信するように送信部２０３を制御する。制御部２０２は、上位層処理部２０１から入力された情報に基づいて、上りリンク制御情報（ＵＣＩ）を生成し、送信部２０３に出力する。前記ＵＣＩフォーマットには、ＭＵＳＴを行っている端末装置専用フォーマットを定義してもよい。
【０１２５】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。受信部２０４は、前記前記ＭＵＳＴアシスト情報を考慮して、信号検出を行う。さらに、受信部２０４は、干渉信号の除去又は抑圧に必要なパラメータを、ブラインド検出によって検出することができる。
【０１２６】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０４１は、変換したディジタル信号からＣＰに相当する部分を除去し、ＣＰを除去した信号に対して高速フーリエ変換を行い、周波数領域の信号を抽出する。
【０１２７】
多重分離部２０４２は、前記抽出した信号をＰＨＩＣＨ、ＰＤＣＣＨ、ＥＰＤＣＣＨ、ＰＤＳＣＨ、および下りリンク参照信号に、それぞれ分離する。多重分離部２０４２は、下りリンク参照信号を用いたチャネル測定から得られたチャネル推定値に基づいて、ＰＨＩＣＨ、ＰＤＣＣＨ、およびＥＰＤＣＣＨのチャネルの補償を行ない、下りリンク制御情報を検出し、制御部２０２に出力する。制御部２０２は、ＰＤＳＣＨおよびチャネル推定値を信号検出部２０４３に出力する。
【０１２８】
信号検出部２０４３は、ＰＤＳＣＨ及びチャネル推定値を用いて、信号検出し、上位層処理部２０１に出力する。ＭＵＳＴをサポートする端末装置２Ａは、信号検出部２０４３に、干渉信号を除去又は抑圧する機能を有する。端末装置２Ａの信号検出部２０４３は、干渉となるＰＤＳＣＨ２を除去又は抑圧後、ＰＤＳＣＨ１を復調及び復号を行う。端末装置２Ｂは、ＰＤＳＣＨ２を復調及び復号を行う。ＭＵＳＴをサポートする端末装置２Ｂは、信号検出部２０４３に、干渉信号を除去又は抑圧する機能を備えてもよい。
【０１２９】
送信部２０３は、制御部２０２から入力された制御信号に従って、上りリンク参照信号を生成する。送信部２０３は、上位層処理部２０１から入力された上りリンクデータ（トランスポートブロック）や上りリンク制御信号を符号化及び変調して、ＰＵＣＣＨ及びＰＵＳＣＨを生成する。前記ＰＵＳＣＨは、ＤＳ、ＳＰＳに応じて、Ｃ−ＲＮＴＩ，ＳＰＳ
Ｃ−ＲＮＴＩを用いて暗号化（スクランブリング）される。送信部２０３は、ＰＵＣＣＨ、ＰＵＳＣＨおよび生成した上りリンク参照信号を多重し、送受信アンテナ２０６を介して基地局装置１Ａに送信する。
【０１３０】
符号化部２０３１は、上位層処理部２０１から入力された上りリンク制御情報を畳み込み符号化、ブロック符号化等の符号化を行う。符号化部２０３１は、スケジューリングに用いられる情報に基づき、ＰＵＳＣＨをターボ符号化の符号化を行なう。
【０１３１】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１３２】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１３３】
多重部２０３４は、制御部２０２から入力された制御信号に従って、ＰＵＳＣＨの変調シンボルを並列に並び替えてから離散フーリエ変換（Discrete Fourier Transform: DFT
）する。多重部２０３４は、ＰＵＣＣＨとＰＵＳＣＨの信号と上りリンク参照信号を送信アンテナポート毎に多重する。つまり、多重部２０３４は、ＰＵＣＣＨとＰＵＳＣＨの信号と上りリンク参照信号を送信アンテナポート毎にリソースエレメントに配置する。
【０１３４】
無線送信部２０３５は、多重された信号を逆高速フーリエ変換（Inverse Fast FourierTransform: IFFT）して、ＳＣ−ＦＤＭＡ方式の変調を行い、ＳＣ−ＦＤＭＡシンボルを
生成する。  無線送信部２０３５は、前記ＳＣ−ＦＤＭＡシンボルにＣＰを付加し、ベースバンドのディジタル信号を生成する。さらに、  無線送信部２０３５は、前記ベースバンドのディジタル信号をアナログ信号に変換し、余分な周波数成分を除去し、アップコンバートにより搬送周波数に変換し、電力増幅し、送信アンテナ２０６を介して基地局装置１Ａに送信する。
【０１３５】
図５は、本実施形態に係る基地局装置がマルチユーザ重畳送信を行うフローチャートの例を示す図である。基地局装置１Ａは、端末装置２Ａ、２ＢからＵＥ  Ｃａｐａｂｉｌｉｔｙを受信する（Ｓ１０１）。基地局装置１Ａは、前記ＵＥ  Ｃａｐａｂｉｌｉｔｙから、端末装置２Ａ、２ＢがＭＵＳＴをサポートするか、ＳＰＳをサポートするか、を把握する。前記ＵＥ  Ｃａｐａｂｉｌｉｔｙは、複数のＭＵＳＴに対応する機能を含めることができる。基地局装置１Ａは、ＲＲＣシグナリング等を用いて、端末装置２Ａ、２Ｂに無線リソースに関する各種設定情報を送信する（Ｓ１０２）。基地局装置１Ａは、設定情報として、各端末装置に割り当てたＣ−ＲＮＴＩを通知する。基地局装置１Ａは、ＭＵＳＴをサポートする端末装置に対して、ＭＵＳＴアシスト情報を通知する。基地局装置１Ａは、ＳＰＳをサポートしている端末装置に対して、ＳＰＳ設定情報を通知する。前記ＳＰＳ設定情報は、ＳＰＳ  Ｃ−ＲＮＴＩが含まれる。
【０１３６】
基地局装置１Ａは、端末装置２Ａ及び２Ｂ宛に送信する下りリンクデータが発生した場合（Ｓ１０３）、Ｎｅａｒ−ＵＥに該当する端末装置２ＡがＳＰＳをサポートするか否かを判断する（Ｓ１０４）。端末装置２Ａから受信したＳＰＳのサポートに関する情報に基づいて判断する。Ｓ１０４において、基地局装置１Ａは、端末装置２ＡからＳＰＳのサポートに関する情報を受信したか否かで判断することもできる。Ｓ１０４において、基地局装置１Ａは、端末装置２Ａ宛のＳＰＳ設定情報に含まれるＳＰＳのセットアップ／リリースの設定に基づいて、判断してもよい。基地局装置１Ａは、端末装置２Ａ宛の下りリンク制御情報によって示されるＳＰＳの活性化／解除の設定に基づいて、判断してもよい。
【０１３７】
端末装置２ＡがＳＰＳをサポートしていると判断した場合（Ｓ１０４のＹＥＳ）、基地局装置１Ａは、直交多元接続（ＯＭＡ）を用いて、端末装置２Ａ及び２Ｂに下りリンクデータを送信する（Ｓ１０５）。この場合、基地局装置１Ａは、非直交多元接続（ＭＵＳＴ）を用いず、端末装置２Ａ及び２Ｂに下りリンクデータを送信する。基地局装置１Ａは、
下りリンクデータの要求品質（ＱｏＳ、音声データ、など）に応じて、端末装置２Ａ／端末装置２Ｂへ送信する下りリンクデータを、ＳＰＳ  Ｃ−ＲＮＴＩ／Ｃ−ＲＮＴＩでスクランブリングする。なお、基地局装置は、Ｓ１０４において、前記無線リソース部１０１１で設定されたＭＵＳＴに関する情報／ＳＰＳに関する情報を考慮することもできる。例えば、基地局装置は、端末装置からＳＰＳに対応しているＭＵＳＴをサポートすることを示す情報を受信している場合、該端末装置にＭＵＳＴを用いて下りリンクデータを送信することを選択することもできる。
【０１３８】
端末装置２は、基地局装置１Ａから受信した無線リソースに関する情報、下りリンク制御情報に基づいて、下りリンクデータを受信する（干渉除去又は抑圧、復調、復号処理など）。ＳＰＳをサポートする端末装置２Ａは、受信した下りリンクデータはＯＭＡにより送信されている（ＭＵＳＴにより多重されていない）と想定し、受信処理を行う。ＭＵＳＴをサポートする端末装置２Ａは、ＤＳを用いて下りリンクデータが送信されている（ＳＰＳを用いず、下りリンクが送信される）と想定し、受信処理を行ってもよい。
【０１３９】
Ｓ１０４において、端末装置２ＡがＳＰＳをサポートしていないと判断した場合（Ｓ１０４のＮＯ）、基地局装置１Ａは、ＭＵＳＴ又はＯＭＡを用いて、端末装置２Ａ及び２Ｂに下りリンクデータを送信する（Ｓ１０６）。端末装置２Ａへ送信する下りリンクデータは、該端末装置に割当てられたＣ−ＲＮＴＩでスクランブリングされる。端末装置２Ｂへ送信する下りリンクデータは、該下りリンクデータの要求品質に応じて、該端末装置に割当てられたＣ−ＲＮＴＩ／ＳＰＳ  Ｃ−ＲＮＴIでスクランブリングされる。
【０１４０】
図６は、本実施形態に係る基地局装置がマルチユーザ重畳送信を行うフローチャートの別例を示す図である。Ｓ２０１〜Ｓ２０３は、図５のＳ１０１〜Ｓ１０３と同様の処理である。基地局装置１Ａは、端末装置２Ａ及び２Ｂ宛に送信する下りリンクデータが発生した場合（Ｓ２０３）、端末装置２Ａ／端末装置２ＢがＭＵＳＴをサポートするか否かを判断する（Ｓ２０４）。Ｓ２０４において、基地局装置１Ａは、端末装置宛のＭＵＳＴ設定情報に含まれるセットアップ／リリースの設定に基づいて、判断してもよい。
【０１４１】
Ｓ２０４において、ＭＵＳＴをサポートする端末装置がある場合、基地局装置１Ａは、ＭＵＳＴをサポートする端末装置に対して、ＤＳを用いて下りリンクデータを送信する（Ｓ２０５）。基地局装置１Ａは、ＭＵＳＴをサポートする端末装置に対して、ＳＰＳを用いずに、下りリンクデータを送信する。
【０１４２】
端末装置２は、基地局装置１Ａから受信した無線リソースに関する情報、下りリンク制御情報に基づいて、下りリンクデータを受信する（干渉除去又は抑圧、復調、復号処理など）。ＳＰＳをサポートする端末装置２Ａは、受信した下りリンクデータはＯＭＡにより送信されている（ＭＵＳＴにより多重されていない）と想定し、受信処理を行う。ＭＵＳＴをサポートする端末装置２Ａは、ＤＳを用いて下りリンクデータが送信されている（ＳＰＳを用いず、下りリンクが送信される）と想定し、受信処理を行ってもよい。
【０１４３】
Ｓ２０４において、基地局装置１Ａは、端末装置２Ａ及び端末装置２Ｂのうち、すくなくとも１つがＭＵＳＴをサポートしている場合、基地局装置１Ａは、ダイナミックスケジューリング（ＤＳ）を用いて、端末装置２Ａ／端末装置２Ｂに下りリンクデータを送信するようにしてもよい。この場合、端末装置２Ａ及び端末装置２Ｂへ送信される下りリンクデータは、Ｃ−ＲＮＴＩでスクランブルされる。
【０１４４】
Ｓ２０４において、端末装置がＭＵＳＴをサポートしていないと判断した場合、基地局装置１Ａは、ＤＳ又はＳＰＳを用いて、端末装置２Ａ／端末装置２ＢにＭＵＳＴを用いずに、下りリンクデータを送信する（Ｓ２０６）。例えば、基地局装置１Ａは、ＤＳ又はＳ
ＰＳを用いて、ＯＭＡで下りリンクデータを送信する。なお、基地局装置は、Ｓ２０４において、前記無線リソース部１０１１で設定されたＭＵＳＴに関する情報／ＳＰＳに関する情報を考慮することもできる。例えば、基地局装置は、端末装置からＳＰＳに対応しているＭＵＳＴをサポートすることを示す情報を受信している場合、該端末装置にＭＵＳＴを用いて下りリンクデータを送信することを選択することもできる。
【０１４５】
図７は、本実施形態に係る基地局装置がマルチユーザ重畳送信を行うフローチャートの別例を示す図である。基地局装置１Ａは、端末装置２Ａ、２ＢからＵＥ  Ｃａｐａｂｉｌｉｔｙを受信する（Ｓ３０１）。基地局装置１Ａは、前記ＵＥ  Ｃａｐａｂｉｌｉｔｙから、端末装置２Ａ、２ＢがＭＵＳＴをサポートするか、ＳＰＳをサポートするか、を把握する。前記ＵＥ  Ｃａｐａｂｉｌｉｔｙは、複数のＭＵＳＴに対応する機能を含めることができる。基地局装置１Ａは、ＲＲＣシグナリング等を用いて、端末装置２Ａ、２Ｂに各種設定情報を送信する（Ｓ３０２）。基地局装置１Ａは、設定情報として、各端末装置に対して、Ｃ−ＲＮＴＩを通知する。基地局装置１Ａは、ＭＵＳＴをサポートする端末装置に対して、ＭＵＳＴアシスト情報を通知する。基地局装置１Ａは、ＳＰＳをサポートしている端末装置に対して、ＳＰＳ設定情報を通知する。前記ＳＰＳ設定情報は、ＳＰＳ  Ｃ−ＲＮＴＩが含まれる。
【０１４６】
基地局装置１Ａは、端末装置２Ａから、ＭＵＳＴをサポートすることを示す情報を受信した場合で説明する。基地局装置１Ａは、端末装置２Ａ及び２Ｂ宛に送信する下りリンクデータが発生した場合（Ｓ３０３）、Ｎｅａｒ−ＵＥに該当する端末装置２ＡがＳＰＳを用いて、該下りリンクデータを送信するか否かを判断する（Ｓ３０４）。例えば、基地局装置１Ａは、端末装置２Ａ宛の下りリンクデータが音声データの場合、ＳＰＳを用いて該下りリンクデータを送信すると判断する。
【０１４７】
端末装置２ＡにＳＰＳを用いて下りリンクデータを送信すると判断した場合、基地局装置１Ａは、ＯＭＡを用いて、端末装置２Ａ及び２Ｂに下りリンクデータを送信する（Ｓ３０５）。基地局装置１Ａは、ＭＵＳＴを用いず、端末装置２Ａ及び２Ｂに下りリンクデータを送信する。基地局装置１Ａは、ＳＰＳ  Ｃ−ＲＮＴＩでスクランブリングした下りリンクデータを端末装置２Ａへ送信する。基地局装置１Ａは、下りリンクデータの要求品質に応じて、端末装置２Ｂへ送信する下りリンクデータを、ＳＰＳ  Ｃ−ＲＮＴＩ／Ｃ−ＲＮＴＩでスクランブリングする。
【０１４８】
端末装置２は、基地局装置１Ａから受信した無線リソースに関する情報、下りリンク制御情報に基づいて、下りリンクデータを受信する（干渉除去又は抑圧、復調、復号処理など）。端末装置２Ａは、ＳＰＳで下りリンクデータを受信した場合（ＳＰＳ  Ｃ−ＲＮＴＩでデスクランブルした場合）、該下りリンクデータがＯＭＡにより送信されている（ＭＵＳＴにより多重されていない）と想定し、受信処理を行う。ＭＵＳＴで下りリンクデータを受信した場合、端末装置２Ａは、ＤＳを用いて、該下りリンクデータが送信されている（ＳＰＳを用いず、下りリンクが送信される）と想定し、受信処理を行ってもよい。
【０１４９】
Ｓ３０４において、端末装置２ＡにＳＰＳを用いずに下りリンクデータを送信すると判断した場合（例えば、ＤＳを用いて下りリンクデータを送信すると判断した場合）、基地局装置１Ａは、端末装置２Ａ及び２Ｂに、ＭＵＳＴを用いた下りリンクデータ送信を選択できる（Ｓ３０６）。基地局装置１Ａが、ＭＵＳＴを用いて下りリンクデータを送信する場合、基地局装置１Ａは、Ｃ−ＲＮＴＩでスクランブリングした下りリンクデータを端末装置２Ａへ送信する。基地局装置１Ａは、下りリンクデータの品質に応じて、端末装置２Ｂへ送信する下りリンクデータを、ＳＰＳ  Ｃ−ＲＮＴＩ／Ｃ−ＲＮＴＩでスクランブリングする。なお、基地局装置は、Ｓ３０４において、前記無線リソース部１０１１で設定されたＭＵＳＴに関する情報／ＳＰＳに関する情報を考慮することもできる。例えば、基
地局装置は、端末装置からＳＰＳに対応しているＭＵＳＴをサポートすることを示す情報を受信している場合、該端末装置にＭＵＳＴを用いて下りリンクデータを送信することを選択することもできる。
【０１５０】
図８は、本実施形態に係る基地局装置がマルチユーザ重畳送信を行うフローチャートの別例を示す図である。Ｓ４０１〜Ｓ４０３は、図７のＳ３０１〜Ｓ３０３と同様の処理である。
【０１５１】
基地局装置１Ａは、端末装置２Ａから、ＭＵＳＴをサポートすることを示す情報を受信した場合で説明する。基地局装置１Ａは、端末装置２Ａ及び２Ｂ宛に送信する下りリンクデータが発生した場合（Ｓ４０３）、ＭＵＳＴを用いて該下りリンクデータを送信するか否か判断する（Ｓ４０４）。ＭＵＳＴを用いて端末装置２Ａ及び２Ｂの下りリンクデータを送信する場合、基地局装置１Ａは、ＤＳを用いて、端末装置２Ａへ下りリンクデータを送信する（Ｓ４０５）。基地局装置１Ａは、Ｃ−ＲＮＴＩでスクランブリングした下りリンクデータを端末装置２Ａへ送信する。基地局装置１Ａは、下りリンクデータの要求品質に応じて、端末装置２Ｂへ送信する下りリンクデータを、ＳＰＳ  Ｃ−ＲＮＴＩ／Ｃ−ＲＮＴＩでスクランブリングする。
【０１５２】
端末装置２は、基地局装置１Ａから受信した無線リソースに関する情報、下りリンク制御情報に基づいて、下りリンクデータを受信する（干渉除去又は抑圧、復調、復号処理など）。端末装置２Ａは、ＳＰＳで下りリンクデータを受信した場合（ＳＰＳ  Ｃ−ＲＮＴＩでデスクランブルした場合）、該下りリンクデータがＯＭＡにより送信されている（ＭＵＳＴにより多重されていないと想定し、受信処理を行う。ＭＵＳＴで下りリンクデータを受信した場合、端末装置２Ａは、ＤＳを用いて、該下りリンクデータが送信されている（ＳＰＳを用いず、下りリンクが送信される）と想定し、受信処理を行ってもよい。
【０１５３】
Ｓ４０４において、ＭＵＳＴを用いずに下りリンクデータを送信する場合、基地局装置１Ａは、下りリンクデータの品質に要求応じて、ＤＳ又はＳＰＳを用いて、端末装置２Ａ及び２Ｂへ下りリンクデータを送信する（Ｓ４０６）。なお、基地局装置は、Ｓ４０４において、前記無線リソース部１０１１で設定されたＭＵＳＴに関する情報／ＳＰＳに関する情報を考慮することもできる。例えば、基地局装置は、端末装置からＳＰＳに対応しているＭＵＳＴをサポートすることを示す情報を受信している場合、該端末装置にＭＵＳＴを用いて下りリンクデータを送信することを選択することもできる。
【０１５４】
ＳＰＳにおいて、基地局装置は、下りリンクアサインメント（例えば、ＰＤＣＣＨ）を送信することなく、セミパーシステントスケジューリング間隔に基づいて、下りリンクデータを送信する。端末装置は、該セミパーシステントスケジューリング間隔に基づいて、下りリンクアサインメントを受信することなく、下りリンクデータを受信する。本実施形態では、少なくともＮｅａｒ−ＵＥに対して、ＳＰＳを用いてデータを送信する場合、基地局装置は、ＯＭＡを選択して、下りリンクデータを送信する（ＭＵＳＴを用いず、下りリンクデータを送信する）。これにより、本実施形態に係るＳＰＳを有する通信システムは、電力割当て情報などのＭＵＳＴ適用に伴う制御信号の追加を減らすことができる。また、本実施形態に係る通信システムは、ＳＰＳにおいて、ブラインドデコーディングにＭＵＳＴの適用有無を含まないため、ＭＵＳＴを適用による端末装置の負荷の増加を抑えることができる。
【０１５５】
（第２の実施形態）
図９は、本実施形態に係る基地局装置がマルチユーザ重畳送信を行うフローチャートの例を示す図である。本実施形態に係る基地局装置、端末装置は各々、図２、図３と同様の構成を有する。以下、主として、第１の実施形態からの相違点／追加点を説明する。
【０１５６】
図９において、基地局装置１Ａは、基地局装置１Ａは、端末装置２Ａ、２ＢからＵＥ  Ｃａｐａｂｉｌｉｔｙを受信する（Ｓ５０１）。基地局装置１Ａは、前記ＵＥ  Ｃａｐａｂｉｌｉｔｙから、端末装置２Ａ、２ＢがＭＵＳＴをサポートするか、ＳＰＳをサポートするか、を把握する。前記ＵＥ  Ｃａｐａｂｉｌｉｔｙは、複数のＭＵＳＴに対応する機能を含めることができる。基地局装置１Ａは、ＲＲＣシグナリング等を用いて、端末装置２Ａ、２Ｂに各種設定情報を送信する（Ｓ５０２）。基地局装置１Ａは、設定情報として、各端末装置に割り当てたＣ−ＲＮＴＩを通知する。基地局装置１Ａは、ＭＵＳＴをサポートする端末装置に対して、ＭＵＳＴアシスト情報を通知する。基地局装置１Ａは、ＳＰＳをサポートしている端末装置に対して、ＳＰＳ設定情報を通知する。前記ＳＰＳ設定情報は、ＳＰＳ  Ｃ−ＲＮＴＩが含まれる。
【０１５７】
端末装置２Ａ及び２Ｂ宛に送信する下りリンクデータが発生した場合（Ｓ５０３）、基地局装置１Ａは、Ｎｅａｒ−ＵＥに該当する端末装置２ＡがＳＰＳを用いた該下りリンクデータの送信か否か判断する（Ｓ５０４）。Ｓ５０４において、ＳＰＳを用いず下りリンクデータを送信すると判断した場合（例えば、ＤＳを用いて下りリンクデータを送信する場合）、基地局装置１Ａは、ＭＵＳＴ又はＯＭＡを用いて、端末装置２Ａ及び２Ｂに下りリンクデータを送信する（Ｓ５０７）。
【０１５８】
Ｓ５０４において、ＳＰＳを用いて下りリンクデータを送信すると判断した場合、Ｆａｒ−ＵＥに該当する端末装置２ＢがＳＰＳを用いた下りリンクデータの送信か否か判断する（Ｓ５０５）。Ｓ５０５において、ＳＰＳを用いて下りリンクデータを送信すると判断した場合、基地局装置１Ａは、ＭＵＳＴ又はＯＭＡを用いて、端末装置２Ａ及び２Ｂに下りリンクデータを送信する（Ｓ５０７）。端末装置２は、基地局装置１Ａから受信した無線リソースに関する情報、下りリンク制御情報に基づいて、下りリンクデータを受信する（干渉除去又は抑圧、復調、復号処理など）。
【０１５９】
Ｓ５０５において、ＳＰＳを用いず下りリンクデータを送信すると判断した場合（例えば、ＤＳを用いて下りリンクデータを送信する場合）、基地局装置１Ａは、ＭＵＳＴ又はＯＭＡを用いて、端末装置２Ａ及び２Ｂに下りリンクデータを送信する（Ｓ５０６）。図９の処理により、基地局装置１Ａは、Ｎｅａｒ−ＵＥがＤＳを用いて送信する場合又はＮｅａｒ−ＵＥ及びＦａｒ−ＵＥの両方がＳＰＳを用いて送信する場合に、ＭＵＳＴを用いて下りリンクデータを送信することが可能となる。なお、基地局装置は、Ｓ５０４において、前記無線リソース部１０１１で設定されたＭＵＳＴに関する情報／ＳＰＳに関する情報を考慮することもできる。例えば、基地局装置は、端末装置からＳＰＳに対応しているＭＵＳＴをサポートすることを示す情報を受信している場合、該端末装置にＭＵＳＴを用いて下りリンクデータを送信することを選択することもできる。
【０１６０】
図１０は、本実施形態に係る基地局装置がマルチユーザ重畳送信を行うフローチャートの別例を示す図である。Ｓ６０１〜Ｓ６０３は、図７のＳ５０１〜Ｓ５０３と同様の処理である。
【０１６１】
図１０において、端末装置２Ａ及び２Ｂ宛に送信する下りリンクデータが発生した場合（Ｓ６０３）、基地局装置１Ａは、Ｎｅａｒ−ＵＥに該当する端末装置２ＡがＳＰＳを用いた該下りリンクデータの送信か否か判断する（Ｓ６０４）。Ｓ６０４において、ＳＰＳを用いず下りリンクデータを送信すると判断した場合（例えば、ＤＳを用いて下りリンクデータを送信する場合）、基地局装置１Ａは、ＭＵＳＴ又はＯＭＡを用いて、端末装置２Ａ及び２Ｂに下りリンクデータを送信する（Ｓ６０７）。
【０１６２】
Ｓ６０４において、ＳＰＳを用いて下りリンクデータを送信すると判断した場合、Ｆａ
ｒ−ＵＥに該当する端末装置２ＢがＳＰＳを用いた下りリンクデータの送信か否か、を判断する（Ｓ６０５）。Ｓ６０５において、ＳＰＳを用いず下りリンクデータを送信すると判断した場合、基地局装置１Ａは、ＯＭＡを用いて、端末装置２Ａ及び２Ｂに下りリンクデータを送信する（Ｓ６０８）。端末装置２は、基地局装置１Ａから受信した無線リソースに関する情報、下りリンク制御情報に基づいて、下りリンクデータを受信する（干渉除去又は抑圧、復調、復号処理など）。
【０１６３】
Ｓ６０５において、ＳＰＳを用いて下りリンクデータを送信すると判断した場合、基地局装置１Ａは、Ｎｅａｒ−ＵＥとＦａｒ−ＵＥのＳＰＳ間隔の設定が同じか否か、を判断する（Ｓ６０６）。例えば、基地局装置１Ａは、端末装置２Ａと端末装置２ＢのsemiPersistSchedIntervalDLの設定を比較する。ＳＰＳ間隔の設定が同じである場合、基地局装置１Ａは、ＭＵＳＴ又はＯＭＡを用いて、端末装置２Ａ及び２Ｂに下りリンクデータを送信する（Ｓ６０７）。基地局装置１Ａは、前記ＳＰＳ間隔が同じか否かを示す情報を端末装置に送信することもできる。一方、ＳＰＳ間隔が異なる場合、基地局装置１Ａは、ＯＭＡを用いて、端末装置２Ａ及び２Ｂに下りリンクデータを送信する（Ｓ６０８）。図１０の処理により、基地局装置１Ａは、Ｎｅａｒ−ＵＥがＤＳを用いて送信する場合又はＮｅａｒ−ＵＥ及びＦａｒ−ＵＥ両方のＳＰＳ間隔が同じ場合に、ＭＵＳＴを用いて下りリンクデータを送信することが可能となる。なお、基地局装置は、Ｓ６０４において、前記無線リソース部１０１１で設定されたＭＵＳＴに関する情報／ＳＰＳに関する情報を考慮することもできる。例えば、基地局装置は、端末装置からＳＰＳに対応しているＭＵＳＴをサポートすることを示す情報を受信している場合、該端末装置にＭＵＳＴを用いて下りリンクデータを送信することを選択することもできる。
【０１６４】
図１１は、本実施形態に係る基地局装置がマルチユーザ重畳送信を行うフローチャートの別例を示す図である。Ｓ７０１〜Ｓ７０４は、図７のＳ７０１〜Ｓ７０４と同様の処理である。
【０１６５】
Ｓ７０５において、ＳＰＳを用いず下りリンクデータを送信すると判断した場合、基地局装置１Ａは、ＯＭＡを用いて、端末装置２Ａ及び２Ｂに下りリンクデータを送信する（７０８）。Ｓ７０５において、ＳＰＳを用いて下りリンクデータを送信すると判断した場合、基地局装置１Ａは、Ｎｅａｒ−ＵＥとＦａｒ−ＵＥのＳＰＳ間隔の設定がｎ倍又はｎ分の１（ｎは自然数）か否か、を判断する（Ｓ７０６）。ＳＰＳ間隔の設定がｎ倍又はｎ分の１（ｎは自然数）である場合（例えば、基地局装置１Ａは、端末装置２ＡのＳＰＳ間隔が１０サブフレーム、端末装置２ＢのＳＰＳ間隔が２０サブフレームの場合）、基地局装置１Ａは、ＭＵＳＴ又はＯＭＡを用いて、端末装置２Ａ及び２Ｂに下りリンクデータを送信する（Ｓ７０７）。基地局装置１Ａは、前記ＳＰＳ間隔がｎ倍又はｎ分の１か否かを示す情報を端末装置に送信することもできる。基地局装置１Ａは、両者のＳＰＳ間隔の比を端末装置に送信することもできる。端末装置２は、基地局装置１Ａから受信した無線リソースに関する情報、下りリンク制御情報に基づいて、下りリンクデータを受信する（干渉除去又は抑圧、復調、復号処理など）。
【０１６６】
一方、ＳＰＳ間隔の設定がｎ倍及びｎ分の１（ｎは自然数）でない場合（例えば、基地局装置１Ａは、端末装置２ＡのＳＰＳ間隔が１０サブフレーム、端末装置２ＢのＳＰＳ間隔が３２サブフレームの場合）、基地局装置１Ａは、ＯＭＡを用いて、端末装置２Ａ及び２Ｂに下りリンクデータを送信する（Ｓ７０８）。図１１の処理により、基地局装置１Ａは、Ｎｅａｒ−ＵＥがＤＳを用いて送信する場合又はＮｅａｒ−ＵＥ及びＦａｒ−ＵＥ両方のＳＰＳ間隔の設定がｎ倍又はｎ分の１（ｎは自然数）である場合に、ＭＵＳＴを用いて下りリンクデータを送信することが可能となる。なお、基地局装置は、Ｓ７０４において、前記無線リソース部１０１１で設定されたＭＵＳＴに関する情報／ＳＰＳに関する情報を考慮することもできる。例えば、基地局装置は、端末装置からＳＰＳに対応している
ＭＵＳＴをサポートすることを示す情報を受信している場合、該端末装置にＭＵＳＴを用いて下りリンクデータを送信することを選択することもできる。
【０１６７】
本実施形態では、Ｎｅａｒ−ＵＥ及びＦａｒ−ＵＥが共にＳＰＳを用いてデータを送信する場合、基地局装置は、ＭＵＳＴを選択して、下りリンクデータを送信することができる。これにより、本実施形態に係るＳＰＳを有する通信システムは、電力割当て情報などのＭＵＳＴ適用に伴う制御信号の追加を減らすことができる。また、本実施形態に係る通信システムは、ＳＰＳにおいて、ブラインドデコーディングにＭＵＳＴの適用有無を含まないため、ＭＵＳＴを適用による端末装置の負荷の増加を抑えることができる。
【０１６８】
本実施形態に係る通信システムにおいて、Ｎｅａｒ−ＵＥがＳＰＳでデータを送信すると判断（図９のＳ５０４、図１０のＳ６０４、図１１のＳ７０４）の後、基地局装置１Ａは、Ｎｅａｒ−ＵＥのＳＰＳが初送か否かの判断を加えてもよい。Ｎｅａｒ−ＵＥのＳＰＳが初送の場合、基地局装置１Ａは、Ｆａｒ−ＵＥがＳＰＳでデータを送信するか否か、の判断に遷移する（図９のＳ５０５、図１０のＳ６０５、図１１のＳ７０５）。Ｎｅａｒ−ＵＥのＳＰＳが再送の場合、基地局装置１Ａは、ＯＭＡを用いて、下りリンクデータを送信する（図９のＳ５０６、図１０のＳ６０８、図１１のＳ７０８）。これにより、本実施形態に係るＳＰＳを有する通信システムは、電力割当て情報などのＭＵＳＴ適用に伴う制御信号の追加を減らすことができる。また、本実施形態に係る通信システムは、ＳＰＳにおいて、ブラインドデコーディングにＭＵＳＴの適用有無を含まないため、ＭＵＳＴを適用による端末装置の負荷の増加を抑えることができる。
【０１６９】
本実施形態に係る通信システムにおいて、Ｎｅａｒ−ＵＥがＳＰＳでデータを送信すると判断（図９のＳ５０４、図１０のＳ６０４、図１１のＳ７０４）の後、基地局装置１Ａは、Ｎｅａｒ−ＵＥに下りリンク制御信号（例えば、ＰＤＣＣＨ）を送信するか否かの判断を加えてもよい。ＳＰＳにおいてＰＤＣＣＨの送信を伴う場合として、ＳＰＳ設定を修正する場合や再送する場合がある。基地局装置１Ａは、ＳＰＳにおいてＰＤＣＣＨの送信を伴う場合、基地局装置１Ａは、Ｆａｒ−ＵＥがＳＰＳでデータを送信するか否か、の判断に遷移することもできる（図９のＳ５０５、図１０のＳ６０５、図１１のＳ７０５）。ＳＰＳにおいてＰＤＣＣＨの送信を伴わない場合、基地局装置１Ａは、ＯＭＡを用いて、下りリンクデータを送信する（図９のＳ５０６、図１０のＳ６０８、図１１のＳ７０８）。これにより、本実施形態に係るＳＰＳを有する通信システムは、電力割当て情報などのＭＵＳＴ適用に伴う制御信号の追加を減らすことができる。また、本実施形態に係る通信システムは、ＳＰＳにおいて、ブラインドデコーディングにＭＵＳＴの適用有無を含まないため、ＭＵＳＴを適用による端末装置の負荷の増加を抑えることができる。
【０１７０】
基地局装置は、ＰｃｅｌｌとＳｃｅｌｌで異なるＭＵＳＴの適用のための設定を行うことができる。例えば、基地局装置１Ａは、Ｐｃｅｌｌにおいて端末装置１ＡにＭＵＳＴアシスト情報を設定した場合、図５〜図１１の処理により、ＳＰＳに関する設定を考慮して、ＭＵＳＴ／ＯＭＡを用いて下りリンクデータを送信するか判断することができる。一方、基地局装置１Ａは、Ｓｃｅｌｌにおいて端末装置１ＡにＭＵＳＴアシスト情報を設定した場合、ＳＰＳに関する設定を考慮せずに、ＭＵＳＴ／ＯＭＡを用いて下りリンクデータを送信するか判断することができる。この場合、ＰＣｅｌｌにおけるＭＵＳＴアシスト情報とＳｃｅｌｌにおけるＭＵＳＴアシスト情報では、設定されるパラメータが異なってもよいし、オプションとなるパラメータが異なってもよい。ＭＵＳＴアシスト情報が、ＰＣｅｌｌで設定されているか、Ｓｃｅｌｌで設定されているかで、ＤＣＩに含まれるフィールドの解釈が異なってもよい。
【０１７１】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制
御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１７２】
尚、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１７３】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７４】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１７５】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１７６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１７７】
本発明は、基地局装置、端末装置および通信方法に用いて好適である。
【符号の説明】
【０１７８】
１Ａ  基地局装置
２Ａ、２Ｂ  端末装置
１−１  基地局装置１Ａが端末装置と接続可能な範囲
１０１  上位層処理部
１０２  制御部
１０３−１、１０３−２  送信部
１０４  受信部
１０５−１、１０５−２  送信アンテナ
１０６−１  受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送信アンテナ
２０７  受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2019091963.tif 000003
【図２】
2019091963.tif 000004
【図３】
2019091963.tif 000005
【図４】
2019091963.tif 000006
【図５】
2019091963.tif 000007
【図６】
2019091963.tif 000008
【図７】
2019091963.tif 000009
【図８】
2019091963.tif 000010
【図９】
2019091963.tif 000011
【図１０】
2019091963.tif 000012
【図１１】
2019091963.tif 000013